(57)【要約】音響装置の音質または音量の制御において、回転スライド式または直線スライド式の操作を、可変抵抗器などの回転軸やスライドバーに伝達する手段として、永久磁石の引力を利用する。そのことによって、力の伝達機構を無くすことによって、手に触れる操作装置のデザイン面の自由度が大幅に広がる。またスイッチやクリックなどの操作性を簡単に作ることができる。【課題】同一軸上に多数のアナログ式操作ノブを設けることができる、簡単で安価な構造。狭いスペースに多くのアナログ式操作ノブを設ける。手に触れる部分のデザインの自由度を高める。【解決手段】可変抵抗器などの、回転軸やスライド軸に設けた、磁性材料からなるのアームやシャフトを、ノブに埋め込まれた永久磁石の動きに追従させることで、可変抵抗器を、間接的に操作できる構造を具現化する。【選択図】図１
2005159252.tif 000002
【特許請求の範囲】
【請求項１】
回転角度を検出するところの回転角度検出機能の回転軸に磁性体＿１が連結されていることを第１の特徴とし、磁石を磁性体＿１に接近させ動かすことによって、回転角度検出機能の回転軸が回転する構造を有することを第２の特徴とし、回転角度検出機能の回転軸と同一軸の円周上に沿ってスライドする磁性体＿２を有することを第３の特徴とし、磁性体＿１または磁性体＿２いずれか一方もしくは双方を着磁したことを第４の特徴とした、音響信号制御機能。
【請求項２】
上記請求項１の第１と第２と第３と第４の特徴を有し、磁性体＿１の回転円周の外側に沿って内面を持つケースを有することを第５の特徴とし、ケースの外面である外周円に沿って磁性体＿２をスライド回転させるためのリングを有することを第６の特徴とし、リングの、ケースと接する面の一部または複数部に膨らみ（または窪み）を有することを第７の特徴とし、ケースのリングと接する面の一部もしくは複数部に窪み（または膨らみ）を有することを第８の特徴とし、リングがケースの外周を回転することによって磁性体＿１と磁性体＿２が引き合う力で、ケースの窪み（膨らみ）とリングの膨らみ（窪み）が一致する点で、クリック感触を設けることを第９の特徴とした、音響信号制御機能。
【請求項３】
上記請求項１の第１と第２と第３と第４と上記請求項２の第５と第６の特徴を有し、リングの、ケースと接する面の一部または複数部に膨らみを有することを第１０の特徴とし、ケースのリングと接する面の一部もしくは複数部に膨らみを有することを第１１の特徴とし、リングがケースの外周を回転することによって磁性体＿１と磁性体＿２が引き合う力によってケースの膨らみとリングの膨らみが一致する点で、クリック感触を設けることを第１２の特徴とした、音響信号制御機能。
【請求項４】
スライド位置を検出するところのスライド位置検出機能のスライド軸に、軸穴を持つ軸受けと軸穴に通されたシャフトを介して磁性体＿１が連結されていることを第１３の特徴とし、軸穴方向にシャフトがスライドすることによって磁性体＿１がスライド軸に垂直方向にスライドする自由度を有することを第１４の特徴とし、磁性体＿１に近接させた磁石をスライド位置検出機能のスライド軸方向に動かすことによって、スライド位置検出機能がスライドする構造を有することを第１５の特徴とし、スライド位置検出機能のスライド軸に沿って、直線を含む任意の曲線上をスライドする磁性体＿２を有することを第１６の特徴とし、磁性体または磁性体＿２のいずれかもしくは双方を着磁したことを第１７の特徴とした、音響信号制御機能。
【請求項５】
上記請求項４の第１３と第１４と第１５と第１６と第１７の特徴を有し、スライド検出機能のスライド軸に沿って直線を含む任意のスライド曲線を持つケースを有することを第１８の特徴とし、磁性体＿２をケースのスライド曲線に沿ってスライドさせるためのノブを有することを第１９の特徴とし、ノブのケースと接する面の一部または複数部に膨らみ（または窪み）を有することを第２０の特徴とし、ケースのノブと接する面の一部もしくは複数部に窪み（または膨らみ）有することを第２１の特徴とし、ノブがケースのスライド軌道を移動することによって、磁性体＿１と磁性体＿２が引き合う力で、ケースの窪み（膨らみ）とノブの膨らみ（窪み）が一致する点で、クリック感触を設けることを第２２の特徴とした、音響信号制御機能。
【請求項６】
上記請求項４の第１３と第１４と第１５と第１６と第１７の特徴を有し、ノブのケースと接する面の一部または複数部に膨らみを有することを第２３の特徴とし、ケースのノブと接する面の一部もしくは複数部に膨らみを有することを第２４の特徴とし、ノブがケースのスライド軌道を移動することによって、磁性体＿１と磁性体＿２が引き合う力で、ケースの膨らみとノブの膨らみが一致する点で、クリック感触を設けることを第２５の特徴とした、音響信号制御機能。
【発明の詳細な説明】
【発明の詳細な説明】
【発明の所属する技術分野】
【００１】人と機械が接する部分の操作機能、リモートコントローラ
【背景技術】
【００２】アナログ式の操作装置は寸法的にも構造的にも制約があることから、ディジタルスイッチによる制御が一般的になっている。
【発明が解決しようとしている課題】
【００３】アナログ式の回転操作やスライド操作による音質や音量の操作は、近年はディジタルスイッチによるものが多い。しかし、スイッチ操作が人の感性と調和するものもあれば、感覚的に不整合であって、操作しにくいものもある。特に、車を運転中に操作の必要があるものなどについては、アナログ式が便利である。アナログ式は、操作に、視覚をさして必要とせず手探りで操作できる。今日現在（２００３年）は音量などの主要操作についてはアナログ式のものが増える傾向にある。しかしながら、アナログ式の場合は、複雑な操作を具現化するには、構造的な制約がある。デザインやコストの面からの制約もあって、補助的な機能については、スイッチ構成にならざるを得ない。人の感覚に照らしてコンパクトで機能性の豊富なスイッチ式の良い点を残したまま、人の感覚になじみの良い、アナログ式の操作機能が求められている。
【課題を解決するための手段】
【００４】図１は本発明の一実施例の構造図である。（ａ）は正面図、（ｂ）は側面図、（Ｃ）は操作の状態を示す。ＶＲは回転式の可変抵抗器、ＰＣＢは可変抵抗器が取り付けられたプリントボード、ＡＲＭは可変抵抗器の回転軸に連結された磁性体からなるアーム、Ｃａｓｅは可変抵抗器を内部に納めるケース、Ｍａｇｎｅｔは磁石、Ｒｉｎｇはケースの外周を磁石と共に回転するノブ、ＤＩＲはノブがスライド回転する方向を示す。
【００５】可変抵抗器がついたプリントボードはケースに固定されている。レバーの先端はエッジになっていて、磁石と近接している時、磁石の細かい動きに対しても追従して回転するようになっている。磁石がケースの外周をスライド回転すると、磁性体であるレバーの先端と磁石との間の引き合う力により、レバーが追従して回転し、可変抵抗器の軸が回転する。（ａ）図はレバーが中央にある状態を示す。（ｂ）図は（ａ）図の側面図で、同一符号は同じ機能を示す。（ｃ）図は磁石のスライドに応じて、レバーが追従する範囲を示す。Ｐａは（ａ）図の状態、Ｐｂは左に回転した場合、Ｐｃは右に回転した場合を示す。
【００６】外側のリングの回転を磁石を通じて間接的に可変抵抗器に伝える構造であるが、可変抵抗器をケースで密閉することができる上、可変抵抗器を同一軸にいくつでも並べることができ、リングの形状のデザインの自由度も高まることから、デザイン重視の設計ができる。磁石については、近年、高磁束密度の材料が低コストで入手できる。小さくても高性能の磁石を使うことで、数ミリメートルのギャップがあっても、可変抵抗器を回転させるに必要な十分な吸引力を得ることができる。
【００７】図１はレバー側が鉄などの磁性材料、リング側が磁石の場合を示すが、レバー側が磁石で、リング側が鉄などの磁性材料であってもよく、また、双方とも、磁石であってもよい。図１は可変抵抗器を使った例での説明であるが、一般的には回転角度を検出する機能のものであればよい。
【００８】図２は図１のリングをスライド回転させる操作でクリック感触を持たせる場合の一実施例を示す。（ａ）図はクリック感触の無い位置の構造を示す。（ｂ）図は安定したクリック位置から脱出しにくいクリック感触を得る場合の構造を示す。（ｃ）図はクリク位置で停止しにくい不安定なクリック感触を得る場合の構造を示す。ＡＲＭは磁性体のレバー、Ｃａｓｅはケース、Ｒｉｎｇはリング、Ｍａｇｎｅｔは磁石、Ｆｌａｒｅ＿Ｒはリング側の膨らみ、Ｈｏｌｌｏｗはケース側の窪み、Ｆｌａｒｅ＿Ｃはケース側の膨らみを示す。リングとケースは磁石によって引きつけられていることから、膨らみと窪みが重なるところでその点に入り込むようなクリック感触を得ることができる。膨らみと窪みの大きさや形状を変えることで、多様な感触を簡単に作ることができる。また、膨らみと膨らみが重なる付近では静止しない不安定なクリック感触が得られる。
【００９】図３は本発明の一実施例を示す構造図である。図１は回転スライド可変抵抗器の例であるが、図３は直線スライド可変抵抗器を使った一実施例である。だい３図中（ａ）図はノブが中央と両端に位置する場合の様子を示す。（ｂ）図はノブが中央の場合の側面図で、同じ符号は同じ機能である。（ｃ）図はレバーが端に位置する場合の側面図で、同じ符号は同じ機能である。
【０１０】ＶＲはスライド型可変抵抗器、ＰＣＢは可変抵抗器を装着するプリントボード、Ｃａｓｅはプリントボードが固定されるケース、Ｓｔｅｐは可変抵抗器側に固定され、操作の力を可変抵抗に伝えるための軸受け、Ｓｈａｆｔは軸受けの穴に通されていて、操作の力を伝達するためのシャフト、Ｍａｇｎｅｔ＿１はシャフトに固定されて操作の力を直接受ける磁性体＿１、Ｍａｇｎｅｔ＿２は操作側の磁性体＿２、Ｋｎｏｂは操作ノブであって、磁性体＿２と一体である。ケースの磁性体＿１と磁性体＿２が挟むケースの部分は、図３の例では円周となっているが、一般的には、直線を含む任意の曲線である。Ｌｅｆｔ、Ｒｉｇｈｔは、操作によってノブが移動する方向を示す。
【０１１】磁性体＿１と磁性体＿２はケースの厚みを介して、常に引き合っている。従って、ノブが移動すれば磁軸性体＿１がその動きに追従し、シャフトも一緒に移動する。シャフトの移動は軸受けに伝わり、可変抵抗器をスライドさせる。ノブが接触しているケースの面が、可変抵抗器のスライド軸面に対し、曲面の関係にあることから、ノブのスライドと共に、シャフトは軸受けの穴を滑りながら、軸受けを軸方向に動かし、可変抵抗器をスライドさせる。（ａ）図の両端に、ノブが移動した場合の、ノブとＭａｇｎｅｔ＿１とＭａｇｎｅｔ＿２とシャフトと軸受けの関係位置を示す。ノブの動きによるこれらの位置関係の側面図を（ｂ）図と（ｃ）図に示す。このように、任意の曲面上をスライドするノブの動きを、スライド軸に平行な動きとして、可変抵抗器に伝えることができる。図３の例でも、図１と同様、ケースを密閉構造とすることもできる。
磁性体＿１と磁性体＿２はいずれかが磁石であっても、双方が磁石であってもよい。図３は可変抵抗器を使った例での説明であるが、一般的にはスライド位置を検出する機能のものであればよい。
【０１２】説明図は省略するが、図３の実施例においても、図２の説明と同様、ノブとケースに膨らみや窪みの加工を施すことによって、クリック感触の構造を設けることができる。
【０１３】いずれの実施例も可変抵抗器を例にしての説明であるが、一般的には、回転角度やスライド位置を検出できる機能であればよい。
【発明を実施するための最良の形態】
【０１４】音響装置などの操作装置、リモートコントローラ
【発明の効果】
【０１５】外観デザインや操作性デザインを優先した、音質や音量の設計が可能となる。
アナログ式でも多様な操作環境を作ることができる。
ガス、水、ほこり、などの有害環境を絶縁する、密閉構造とすることができる。
手に触れる部分に磁石を使うことで、磁気カードなどの記録媒体に影響が考えられるが、磁石をケースの内部に設けることや、磁石をケースの外に設ける場合でも、磁石を包むリングやノブに厚みを設けることで、磁気の影響を無くすことができる。
【図面の簡単な説明】
【図１】本発明の一実施例の説明図
【図２】本発明の一実施例の説明図
【図３】本発明の一実施例の説明図
【符号の説明】
ＶＲ            回転式の可変抵抗器
ＰＣＢ          プリントボード
ＡＲＭ          磁性体からなるアーム
Ｃａｓｅ        ケース
Ｍａｇｎｅｔ    磁性材料
Ｋｎｏｂ        操作ノブ
ＤＩＲ          スライド回転する方向
Ｐａ            回転が中央にある状態
Ｐｂ            回転が左いっぱいにある状態
Ｐｃ            回転が右いっぱいにある状態
Ｆｌａｒｅ＿Ｒ  リング側の膨らみ
Ｆｌａｒｅ＿Ｃ  ケース側の膨らみ
Ｈｏｌｌｏｗ    ケース側の窪み
Ｓｔｅｐ        軸受け
Ｓｈａｆｔ      シャフト
Ｍａｇｎｅｔ＿１磁性体＿１
Ｍａｇｎｅｔ＿２磁性体＿２
Ｋｎｏｂ        操作ノブ
Ｌｅｆｔ        操作によってノブが移動する方向
Ｒｉｇｈｔ      操作によってノブが移動する方向
【図１】
2005159252.tif 000003
【図２】
2005159252.tif 000004
【図３】
2005159252.tif 000005